(57)【要約】【課題】  二つの直線型ＬＥＤランプを電気的に接続させると同時に二つの直線型ＬＥＤランプの相対的位置を固定することができるだけでなく使用方法を簡単化し、時間を省き、接続効果を安定させることができるコネクターを提供する。【解決手段】  コネクター６０は、本体７０および二つの導電回路８２、８４を備える。本体７０は、第一接続部７１および第二接続部７２を有する。第一接続部７１および第二接続部７２は、第一接続面７１４および第二接続面７２４を有する。第一接続面７１４および第二接続面７２４は、所定の角度をなすように形成される。二つの導電回路８２、８４は、互いに交差せず、本体７０の第一接続面７１４および第二接続面７２４に分布するように配置され、二つの直線型ＬＥＤランプとの電気的接続に用いられる。【選択図】図３
0003175088.tif 000002
【実用新案登録請求の範囲】
【請求項１】
二つの直線型ＬＥＤランプの接続に用いられ、かつ本体および二つの導電回路を備えるコネクターであって、
前記本体は、第一接続部および第二接続部を有し、前記第一接続部および前記第二接続部はそれぞれ第一接続面および第二接続面を有し、前記第一接続面と前記第二接続面とは所定の角度をなすように形成され、
二つの前記導電回路は、互いに交差せず、前記本体の前記第一接続面および前記第二接続面に分布するように配置され、かつ二つの前記直線型ＬＥＤランプとの電気的接続に用いられることを特徴とするコネクター。
【請求項２】
前記本体の前記第一接続部および前記第二接続部は、陥没部を有し、
前記第一接続面および前記第二接続面は、前記陥没部に位置付けられることを特徴とする請求項１に記載のコネクター。
【請求項３】
前記本体の前記第一接続部および前記第二接続部は、ねじ孔を有することを特徴とする請求項１に記載のコネクター。
【請求項４】
前記本体は、前記第一接続部と前記第二接続部との間に連結された連結部をさらに有し、
前記連結部は、相互に向かい合う第一表面および第二表面を有し、
前記導電回路は、前記第一接続面から前記第一表面を通って前記第二接続面まで延び、
前記連結部は、前記第一表面および前記第二表面を貫通し、且つ前記導電回路を別々に貫通する二つの差込穴を有することを特徴とする請求項１に記載のコネクター。
【請求項５】
導光板、コネクター、および、二つの直線型ＬＥＤランプを備え、
前記導光板は、底面、頂面、二つの受光側、および、二つの前記受光側の間に連結された連結箇所を有し、
前記コネクターは、本体および二つの導電回路を有し、前記本体は第一接続部および第二接続部を有し、前記第一接続部および前記第二接続部はそれぞれ第一接続面および第二接続面を有し、前記第一接続面と前記第二接続面とは所定の角度をなすように形成され、二つの前記導電回路は、互いに交差せず且つ前記本体の前記第一接続面および前記第二接続面に分布するように配置され、前記コネクターは前記導光板の連結箇所に装着され、前記第一接続面および前記第二接続面がそれぞれ二つの前記受光側に平行し、
二つの前記直線型ＬＥＤランプは、細長い基座および複数の基座に配置された発光ダイオードを有し、前記基座は接続端部を有し、前記接続端部は二つの電気接点を有し、二つの前記直線型ＬＥＤランプの前記接続端部はそれぞれ前記コネクターの前記第一接続部および前記第二接続部に接続され、前記直線型ＬＥＤランプの二つの前記電気接点はそれぞれ二つの前記導電回路に接触し、二つの前記直線型ＬＥＤランプの前記発光ダイオードはそれぞれ前記導光板の二つの前記受光側に向かうことを特徴とするバックライトモジュール。
【請求項６】
前記コネクターの前記第一接続部および前記第二接続部は、陥没部を有し、
前記第一接続面および前記第二接続面は、前記陥没部に位置付けられ、
前記直線型ＬＥＤランプの前記接続端部は、前記陥没部に格納されることを特徴とする請求項５に記載のバックライトモジュール。
【請求項７】
前記コネクターの前記第一接続部および前記第二接続部は、ねじ孔を有し、
前記直線型ＬＥＤランプの前記接続端部は、前記ねじ孔にねじを締め付けることによって前記コネクターに固定されることを特徴とする請求項５に記載のバックライトモジュール。
【請求項８】
前記コネクターの前記本体は、前記第一接続部と前記第二接続部との間に連結された連結部をさらに有し、
前記連結部は、相互に向かい合う第一表面および第二表面を有し、
前記導電回路は、前記第一接続面から前記第一表面を通って前記第二接続面まで延び、
前記連結部は、前記第一表面および前記第二表面を貫通し、且つ二つの前記導電回路を別々に貫通する二つの差込穴を有することを特徴とする請求項５に記載のバックライトモジュール。
【請求項９】
前記導光板の前記底面に装着された反射板をさらに備えることを特徴とする請求項５に記載のバックライトモジュール。
【請求項１０】
前記導光板の前記頂面に装着された拡散板をさらに備えることを特徴とする請求項５に記載のバックライトモジュール。
【請求項１１】
直線型放熱ユニットをさらに備え、
前記直線型放熱ユニットは、前記頂面および前記頂面の両側から延びて形成された二つの側面を有し、
前記直線型ＬＥＤランプは、前記直線型放熱ユニットの前記頂面と前記導光板との間に挟まれ、
前記導光板の前記受光側は、前記直線型放熱ユニットの二つの前記側面の間に位置付けられることを特徴とする請求項５に記載のバックライトモジュール。
【考案の詳細な説明】
【技術分野】
【０００１】
本考案は、コネクターおよびそれを使用するバックライトモジュールに関する。
【背景技術】
【０００２】
従来のバックライトモジュールは、導光板の複数の縁部に直線型ＬＥＤランプを有し、導光板の底面および頂面に反射板および拡散板を別々に有する。直線型ＬＥＤランプから放出された光線は、辺縁部から導光板に入り込み、続いて頂面から拡散板に入り込み、そののち拡散板によって液晶ディスプレイまたは広告看板の光源になる均質な面光源を生成する。
【０００３】
上述したバックライトモジュールは、二つの隣り合う直線型ランプの間に二つの導線をはんだ付けすることによって一つの直線型ランプの二つの電気接点と別の一つの直線型ランプの二つの電気接点とを電気的に接続させると同時に二つの直線型ランプの相対的位置を限定する。
【考案の概要】
【考案が解決しようとする課題】
【０００４】
しかしながら、導線の形が一定ではないため、直線型ランプの位置決めに影響を与える。一方、導線のはんだ付けを進める際、非常に手間がかかるだけでなく、接続効果が安定しない。
【０００５】
本考案は、上述した欠点に鑑み、二つの直線型ＬＥＤランプを電気的に接続させると同時に二つの直線型ＬＥＤランプの相対的位置を固定することができ、使用方法を簡単化し、時間を省き、接続効果を安定させることができるコネクターを提供することを主な目的とする。
【０００６】
本考案は、複数の相互に接続する直線型ＬＥＤランプおよび導光板によって面光源を生成し、かつ直線型ＬＥＤランプの接続方法を簡単化し、時間を省き、接続効果を安定させることができるバックライトモジュールを提供することをもう一つの目的とする。
【課題を解決するための手段】
【０００７】
上述の目的を達成するために、本考案によるコネクターは、本体および二つの導電回路を備える。本体は第一接続部および第二接続部を有する。第一接続部および第二接続部はそれぞれ第一接続面および第二接続面を有する。第一接続面と第二接続面とは所定の角度をなすように形成される。二つの導電回路は、互いに交差せず、本体の第一接続面および第二接続面に分布するように配置され、かつ二つの直線型ＬＥＤランプとの電気的接続に用いられる。
【０００８】
コネクターによって二つの直線型ＬＥＤランプを第一接続部および第二接続部に別々に固定および接続すると同時に直線型ＬＥＤランプの二つの電気接点および二つの導電回路を接続することができる。このとき二つの直線型ＬＥＤランプは、コネクターによって相対的位置が固定され、かつ二つの導電回路によって電気的に接続される。一方、コネクターの第一接続面および第二接続面は、それぞれねじ孔を有する。二つの直線型ＬＥＤランプは、ねじによって二つのねじ孔に締め付けられる。従って、上述したとおり、コネクターは、装着方法が簡単で手間が掛からないだけでなく、接続効果が安定する。
【０００９】
上述の目的を達成するために、本考案によるバックライトモジュールは、導光板、上述したコネクターおよび二つの直線型ＬＥＤランプを備える。導光板は、底面、頂面、二つの受光側および二つの受光側の間に連結された連結箇所を有する。コネクターは、導光板の連結箇所に装着され、第一接続面および第二接続面がそれぞれ二つの受光側に平行する。二つの直線型ＬＥＤランプは、細長い基座および複数の基座に配置された発光ダイオードを有する。基座は接続端部を有し、接続端部は二つの電気接点を有する。二つの直線型ＬＥＤランプの接続端部は、それぞれコネクターの第一接続部および第二接続部に接続される。直線型ＬＥＤランプの二つの電気接点は、それぞれ二つの導電回路に接触する。二つの直線型ＬＥＤランプの発光ダイオードは、それぞれ導光板の二つの受光側に向かう。
【００１０】
上述した構造により、二つの直線型ＬＥＤランプから放出された光線は、二つの受光側から導光板に入り込み、導光板の頂面に液晶ディスプレイまたは広告看板の光源になる面光源を生じることができる。一方、バックライトモジュールは、直線型ＬＥＤランプの間に導線をはんだ付けする必要なく、上述したコネクターによって直線型ＬＥＤランプを接続することができるため、直線型ＬＥＤランプの接続方法は手間が掛からないだけでなく、接続効果が安定する。
【図面の簡単な説明】
【００１１】
【図１】本考案の一実施形態によるバックライトモジュールを示す平面図である。
【図２】本考案の一実施形態によるバックライトモジュールの一部分を示す分解斜視図である。
【図３】本考案の一実施形態によるバックライトモジュール内のコネクターを示す斜視図である。
【図４】本考案の一実施形態によるバックライトモジュール内のコネクターを示す斜視図であって、図３とは異なる角度から見た図である。
【図５】本考案の一実施形態によるバックライトモジュール内のコネクターを示す斜視図であって、図３、図４とは異なる角度から見た図である。
【図６】本考案の一実施形態によるバックライトモジュール内のコネクターを示す斜視図であって、図３〜図５とは異なる角度から見た図である。
【図７】本考案の一実施形態によるバックライトモジュールを示す断面図である。
【考案を実施するための形態】
【００１２】
以下、本考案によるコネクターおよびコネクターを使用するバックライトモジュールを図面に基づいて説明する。
（一実施形態）
図１および図２に示すように、本考案の一実施形態によるバックライトモジュール１０は、導光板２０、反射板３０、拡散板４０、四つの直線型ＬＥＤランプ５０および四つのコネクター６０を備える。
【００１３】
導光板２０は、四つの傾斜角を有する矩形状であり、かつ四つの平面状の受光側面２２と、二つずつ隣り合う受光側面２２の間に形成された平面状の連結箇所２４とを有する。また導光板２０は面積の比較的大きい底面２６および頂面２８を有する。反射板３０は導光板２０の底面２６に取り付けられる。拡散板４０は、導光板２０の頂面２８に取り付けられる。
【００１４】
直線型ＬＥＤランプ５０は、細長い基座５２および複数の基座５２に配置された発光ダイオード５４を有する。基座５２は二つの接続端部５２２を有し、接続端部５２２は二つの電気接点５６を有する。基座５２は、相互に向かい合う正面５２４および背面５２６を有する。発光ダイオード５４および電気接点５６は正面５２４に配置される。
【００１５】
図３から図６に示すように、コネクター６０は、本体７０および二つの導電回路８２、８４を備える。本体７０は、特殊なプラスチック材料から一体成型され、かつレーザー光線の照射を受けて導電性が付与されている部分を有する。二つの導電回路８２、８４は、導電性のよい金属材料（例えば銅、ニッケルまたは銀）のめっき層によって構成され、導電性があり、本体７０上に形成される。
【００１６】
本体７０は、第一接続部７１と、第二接続部７２と、第一接続部７１と第二接続部７２との間に連結された連結部７４とを有する。第一接続部７１は、陥没部７１２と、陥没部７１２内に形成された第一接続面７１４と、ねじ孔７１６とを有する。第二接続部７２は、陥没部７２２と、陥没部７２２内に形成された第一接続面７２４と、ねじ孔７２６とを有する。第一接続面７１４と第二接続面７１６との間には、一定の相対角度が形成される。本実施形態は、導光板２０の形に対応するためにコネクター６０の第一接続面７１４および第二接続面７１６の相対角度を９０度に設計するが、これに限らず、導光板２０の形によってコネクター６０の第一接続面７１４および第二接続面７１６の相対角度を例えば１２０度等に設計することができる。一方、連結部７４は、相互に向かい合う第一表面７４１および第二表面７４２を有する。第一表面７４１および第二表面７４２の相対角度と第一接続面７１４および第二接続面７２４の相対角度とは、９０度である。
【００１７】
導電回路８２、８４は、交差せず、ねじ孔７１６、７２６を通らないように第一接続面７１４から第一表面７４１を通って第二接続面７２４まで延びる。連結部７４は、第一表面７４１および第二表面７４２を貫通する二つの差込穴７４４、７４６を有する。差込穴７４４は導電回路８２を貫通し、差込穴７４６は導電回路８４を貫通する。外部電源（図中未表示）に電気的に接続される二つの電線または導電ワイヤ（図中未表示）は、二つの差込穴７４４、７４６によって第二表面７４２を通って第一表面７４１まで延び、そののち二つの導電回路８２、８４に溶接される。そのため、二つの導電回路８２、８４と外部電源とを電気的に接続することができる。また二つの差込穴７４４、７４６は、電線または導電ワイヤを配置するための接点になるだけでなく、第一接続部７１または第二接続部７２に位置することができる。このとき、本体７０には連結部７４を配置しなくてもよい。
【００１８】
図１、図２および図７に示すように、コネクター６０は、導光板２０の連結箇所２４に装着される。コネクター６０の第一接続面７１４および第二接続面７２４は、導光板２０上の二つの隣り合う受光側面２２に平行する。直線型ＬＥＤランプ５０は、導光板２０の受光側面２２に装着され、発光ダイオード５４が導光板２０の受光側面２２に向かう。コネクター６０の第一接続部７１は、直線型ＬＥＤランプ５０の接続端部５２２に接続される。そのため、接続端部５２２に位置する二つの電気接点５６は、それぞれコネクター６０上の第一接続部７１に位置する導電回路８２、８４に接触する。コネクター６０の第二接続部７２は、別の直線型ＬＥＤランプ５０の接続端部５２２に接続される。そのため、接続端部５２２に位置する二つの電気接点５６は、それぞれコネクター６０上の第二接続部７２に位置する導電回路８２、８４に接触する。本実施形態は、上述したとおり二つの隣り合う直線型ＬＥＤランプ５０とコネクター６０を連結することによって二つの直線型ＬＥＤランプ５０の接続端部５２２をコネクター６０上の二つの陥没部７１２、７２２に嵌め込み、続いて二つの接続端部５２２を別々に貫通する二つのねじ５８を二つのねじ孔７１６、７２６に締め付けることによって二つの直線型ＬＥＤランプ５０の接続端部５２２をコネクター６０に固定する。
【００１９】
このとき直線型ＬＥＤランプ５０は、コネクター６０によって相対的な位置が固定される。同時に直線型ＬＥＤランプ５０とコネクター６０の導電回路８１、８２は、相互に電気的に接続する。続いて外部電源の正極および負極を一つのコネクター６０の第二表面７４２上の差込穴７４４、７４６に差し込み、そののちコネクター６０の導電回線８２、８４に電気的に接続すれば、直線型ＬＥＤランプ５０は外部電源からの電力を受けて発光することができる。かつ二つの直線型ＬＥＤランプ５０から放出された光線は、受光側面２２から導光板２０に入り込み、続いて頂面２８から拡散板４０に入り込み、拡散板４０に均質な面光源を生成することができる。そのため、バックライトモジュール１０は液晶ディスプレイまたは広告看板の光源になる。
【００２０】
本考案によるバックライトモジュール１０において、コネクター６０は、直線型ＬＥＤランプ５０に良好な固定効果を果たすことができるだけでなく、使用の際に手間が掛からず、接続効果が安定する。従って、バックライトモジュール１０の直線型ＬＥＤランプ５０を接続する方法は、従来のバックライトモジュールの直線型ランプを接続する方法と比べて簡単なだけでなく、手間が掛からず、接続効果が比較的に安定する。
【００２１】
バックライトモジュール１０は、さらに四つの直線型放熱ユニット９２を有する。直線型放熱ユニット９２は、放熱効果の良好な材料（例えばアルミニウム）から構成され、かつ頂面９２２および頂面９２２の両側から延びて形成された二つの側面９２４を有する。直線型放熱ユニット９２は、頂面９２２が直線型ＬＥＤランプ５０の基座５２の背面５２６に位置付けられ、二つの側面９２４がそれぞれ反射板３０および拡散板４０まで延びる。そのため、直線型ＬＥＤランプ５０は、直線型放熱ユニット９２の頂面９２２と導光板２０との間に挟まれる。導光板２０の受光側面２２は、直線型放熱ユニット９２の二つの側面９２４の間に位置付けられる。このとき直線型放熱ユニット９２は直線型ＬＥＤランプ５０を遮蔽すると同時に、直線型ＬＥＤランプ５０に放熱作用を生じ、直線型ＬＥＤランプ５０が過熱して故障してしまうような事態を防止することができる。一方、本実施形態は、直線型放熱ユニット９２とコネクター６０にフレーム９４を被せることによってバックライトモジュール１０の構造をより安定させることができる。
【００２２】
以上、本考案は、上記実施形態になんら限定されるものではなく、考案の趣旨を逸脱しない範囲において種々の形態で実施可能である。
【符号の説明】
【００２３】
１０  ：バックライトモジュール
２０  ：導光板
２２  ：受光側
２４  ：連結箇所
２６  ：底面
２８  ：頂面
３０  ：反射板
４０  ：拡散板
５０  ：直線型ＬＥＤランプ
５２  ：基座
５２２：接続端部
５２４：正面
５２６：背面
５４  ：発光ダイオード
５６  ：電気接点
５８  ：ねじ
６０  ：コネクター
７０  ：本体
７１  ：第一接続部
７１２：陥没部
７１４：第一接続面
７１６：ねじ孔
７２  ：第二接続部
７２２：陥没部
７２４：第二接続面
７２６：ねじ孔
７４  ：連結部
７４１：第一表面
７４２：第二表面
７４４：差込穴
７４６：差込穴
８２  ：導電回路
８４  ：導電回路
９２  ：直線型放熱ユニット
９２２：頂面
９２４：側面
９４  ：フレーム
【図１】
0003175088.tif 000003
【図２】
0003175088.tif 000004
【図３】
0003175088.tif 000005
【図４】
0003175088.tif 000006
【図５】
0003175088.tif 000007
【図６】
0003175088.tif 000008
【図７】
0003175088.tif 000009